(57)【要約】【課題】ハニカム構造体の輸送時において安定であり、ハニカム構造体の縁欠けを防止することが可能なハニカム構造体の梱包構造、及び梱包方法を提供すること。【解決手段】セラミック製のハニカム構造体を複数収容可能な梱包箱１を用いた梱包構造である。梱包箱１は、底板部１１と、底板部１１の外周端から立設した外壁部１２と、外壁部１２の内部に配置された仕切り部１３とを有し、外壁部１２と仕切り部１３とにより区画された複数の空間１４を有する。空間１４は、その横断面形状がハニカム構造体の直径に略合致する一辺を有する正方形状であると共に、その深さがハニカム構造体の軸方向高さ以上である直方体形状を有している。仕切り部１３には、各空間１４の上端における横断面正方形の一辺の中点１４１を含む上端中央部１４２に切り欠き部１５が設けられており、切り欠き部１５の下端１５１はハニカム構造体の軸方向高さよりも低い位置に設けられている。【選択図】図１
2010047293.tif 000002
【特許請求の範囲】
【請求項１】
セラミック製のハニカム構造体を複数収容可能な梱包箱を用いた梱包構造であって、
上記梱包箱は、底板部と、該底板部の外周端から立設した外壁部と、該外壁部の内部に配置された仕切り部とを有し、上記外壁部と上記仕切り部とにより区画された複数の空間を有し、
該空間は、その横断面形状が、上記ハニカム構造体の直径に略合致する一辺を有する正方形状であると共に、その深さが上記ハニカム構造体の軸方向高さ以上である直方体形状を有しており、
上記仕切り部には、上記各空間の上端における横断面正方形の一辺の中点を含む上端中央部に切り欠き部が設けられており、
該切り欠き部の下端は、上記ハニカム構造体の軸方向高さよりも低い位置に設けられていることを特徴とするハニカム構造体の梱包構造。
【請求項２】
請求項１において、上記梱包箱は、ダンボールよりなることを特徴とするハニカム構造体の梱包構造。
【請求項３】
請求項１又は２において、上記外壁部には、上記各空間の上端における横断面正方形の一辺の中点を含む上端中央部に切り欠き部が設けられていることを特徴とするハニカム構造体の梱包構造。
【請求項４】
請求項１〜３のいずれか１項において、上記切り欠き部の下端の幅寸法と同じ又はそれ以下の幅を有するテープを、上記外周壁の一辺から対向する一辺に亘って、上記切り欠き部に掛けて、かつ、上記ハニカム構造体と、上記底板部、外壁部、あるいは仕切り部との間に介在させて配置させることを特徴とするハニカム構造体の梱包構造。
【請求項５】
請求項４において、上記テープは、紙からなることを特徴とするハニカム構造体の梱包構造。
【請求項６】
セラミック製のハニカム構造体を複数収容可能な梱包箱を用いてハニカム構造体を梱包する方法であって、
上記梱包箱としては、底板部と、該底板部の外周端から立設した外壁部と、該外壁部の内部に配置された仕切り部とを有し、上記外壁部と上記仕切り部とにより区画された複数の空間を有し、
該空間は、その横断面形状が、上記ハニカム構造体の直径に略合致する一辺を有する正方形状であると共に、その深さが上記ハニカム構造体の軸方向高さ以上である直方体形状を有しており、
上記仕切り部及び上記外壁部には、上記各空間の上端における横断面正方形の一辺の中点を含む上端中央部に切り欠き部が設けられており、
該切り欠き部の下端は、上記ハニカム構造体の軸方向高さよりも低い位置に設けられた梱包箱を用い、
上記切欠部分の下端の幅寸法と同じ又はそれ以下の幅を有するテープを上記外周壁の一辺から対向する一辺に亘って、上記切欠部部分に掛けて配置し、
上記各空間にハニカム構造体を挿入して、上記テープが、上記ハニカム構造体と、上記底板部、外壁部、あるいは仕切り部との間に配置されるよう順次ハニカム構造体を空間内に収容した後、
上記ハニカム構造体の挿入完了後、テープを切断することを特徴とするハニカム構造体の梱包方法。
【請求項７】
請求項６において、上記テープは、上記外周壁の縦方向の辺の一方の側及び横方向の辺の一方の側において予め固定しておき、
最初に上記ハニカム構造体を挿入する空間を、上記テープが固定されている側の縦方向の一辺及び横方向の一辺が直交する角部に位置する第１空間とし、
上記第１空間にハニカム構造体を挿入した後、未だハニカム構造体が挿入されていない他の空間におけるテープの移動を妨げないよう順次一つずつ空間にハニカム構造体を挿入することを特徴とするハニカム構造体の梱包方法。
【発明の詳細な説明】
【技術分野】
【０００１】
本発明は、ハニカム構造体を輸送する際に用いる梱包箱、及び梱包方法に関する。
【背景技術】
【０００２】
ハニカム構造体は、例えば、自動車用排ガス浄化システムにおける触媒担体や、排ガス浄化フィルタとして広く使用されている。
上記ハニカム構造体は、主にセラミックからなり、その構造は、ハニカム状のセル壁と該セル壁に囲まれた多数のセルと外周側面を覆う筒状の外周スキンとを有している。そのため、ハニカム構造体は、梱包、保管、搬送時等において衝撃等が加わることにより破損し易い。
【０００３】
そして、輸送時のハニカム構造体の破損は、ハニカム構造体を緩衝材等で１つ１つ梱包することにより防止することができる。しかし、その場合には、作業性が劣るという問題がある。
【０００４】
また、従来、ハニカム構造体の輸送は、例えば、特許文献１の図５（ａ）に示されているように、収容予定のハニカム構造体の横断面形状を凹状に形成された梱包用トレーを上向きにダンボール箱の底に置き、触媒担持用ハニカム構造体を所定の位置に置き、次に、同じ形状の梱包用トレーを上から被せる形態にして運搬する方法により行われていた。また、特許文献１の図５（ｂ）に示されているように、仕切り板で区画してその中にハニカム構造体を配置することにより梱包して輸送されていた。
【０００５】
しかしながら、従来の梱包では、輸送時の振動により、ハニカム構造体の基材端面の角が梱包材に接触したり、仕切り板を介在させても隣り合うハニカム構造体の基材端面の角同士が接触することにより、縁欠けが発生するという問題があった。
【０００６】
そして、特許文献１には、ハンドリングが容易で、搬送中の振動に対して安定で、かつコストの安いハニカム状構造体の梱包手段が記載されている。
そこには、底板と周囲壁と一体に構成された外箱と、ハニカム上構造体保持部と脚部とズレ防止部とが一体に形成されたハニカム上構造体保持用板とからなるハニカム状構造体保持用板とからなり、ハニカム構造体保持部は、外箱の周囲壁の高さ方向の中間部に、底板に平行かつ周囲壁に当接するように配置され、脚部はハニカム状構造体保持部の相対する２辺端部に外箱の周囲壁に沿って垂直下方向に配置され、ズレ防止部は外箱の周囲壁に沿って垂直上方向に配置されてなることが記載されている。
【０００７】
【特許文献１】特開平９−２２６８３７号公報
【発明の開示】
【発明が解決しようとする課題】
【０００８】
しかしながら、上記特許文献１に記載のハニカム状構造体の梱包手段は、ハニカム構造体に対して、保持板が横応力を集中してかけ易い構造であるため、ハニカム構造体の破損が生じ易い。
また、ハニカム構造体を点で支えるため不安定であり、隣とぶつかり合って縁欠けが起こり易いという問題がある。
【０００９】
本発明は、かかる従来の問題点に鑑みてなされたものであって、ハニカム構造体の輸送時において安定であり、ハニカム構造体の縁欠けを防止することが可能なハニカム構造体の梱包構造、及び梱包方法を提供しようとするものである。
【課題を解決するための手段】
【００１０】
第１の発明は、セラミック製のハニカム構造体を複数収容可能な梱包箱を用いた梱包構造であって、
上記梱包箱は、底板部と、該底板部の外周端から立設した外壁部と、該外壁部の内部に配置された仕切り部とを有し、上記外壁部と上記仕切り部とにより区画された複数の空間を有し、
該空間は、その横断面形状が、上記ハニカム構造体の直径に略合致する一辺を有する正方形状であると共に、その深さが上記ハニカム構造体の軸方向高さ以上である直方体形状を有しており、
上記仕切り部には、上記各空間の上端における横断面正方形の一辺の中点を含む上端中央部に切り欠き部が設けられており、
該切り欠き部の下端は、上記ハニカム構造体の軸方向高さよりも低い位置に設けられていることを特徴とするハニカム構造体の梱包構造にある（請求項１）。
【００１１】
上記ハニカム構造体の梱包構造は、上記のように仕様を規定した梱包箱を用いて梱包することにより、ハニカム構造体の輸送時において安定であり、ハニカム構造体の縁欠けを防止することができる。
【００１２】
すなわち、上記梱包箱は、仕切り板で区画して上記ハニカム構造体をぴったりと収容できる空間が形成されている。そのため、ハニカム構造体の輸送時の安定性を得ることができる。
【００１３】
また、上記各空間の上端における横断面正方形の一辺の中点を含む上端中央部は、上記空間内にハニカム構造体を収容した際に、隣り合うハニカム構造体が最も接近し、ハニカム構造体の上端角部同士がぶつかり易い部分である。そして、その上端中央部を、積極的に切り欠いて隣り合うハニカム構造体の間に物理的に空間を設けた梱包箱を用いることにより、ハニカム構造体同士の接触を避けることができると共に、梱包箱とハニカム構造体の上端角部との接触をも防止することができ、ハニカム構造体の上端角部の縁欠けを防止することができる。
【００１４】
このように、本発明によれば、ハニカム構造体の輸送時におけるハニカム構造体の縁欠けを防止することが可能なハニカム構造体の梱包構造を提供することができる。
【００１５】
第２の発明は、セラミック製のハニカム構造体を複数収容可能な梱包箱を用いてハニカム構造体を梱包する方法であって、
上記梱包箱としては、底板部と、該底板部の外周端から立設した外壁部と、該外壁部の内部に配置された仕切り部とを有し、上記外壁部と上記仕切り部とにより区画された複数の空間を有し、
該空間は、その横断面形状が、上記ハニカム構造体の直径に略合致する一辺を有する正方形状であると共に、その深さが上記ハニカム構造体の軸方向高さ以上である直方体形状を有しており、
上記仕切り部及び上記外壁部には、上記各空間の上端における横断面正方形の一辺の中点を含む上端中央部に切り欠き部が設けられており、
該切り欠き部の下端は、上記ハニカム構造体の軸方向高さよりも低い位置に設けられた梱包箱を用い、
上記切欠部分の下端の幅寸法と同じ又はそれ以下の幅を有するテープを上記外周壁の一辺から対向する一辺に亘って、上記切欠部部分に掛けて配置し、
上記各空間にハニカム構造体を挿入して、上記テープが、上記ハニカム構造体と、上記底板部、外壁部、あるいは仕切り部との間に配置されるよう順次ハニカム構造体を空間内に収容した後、
上記ハニカム構造体の挿入完了後、テープを切断することを特徴とするハニカム構造体の梱包方法にある（請求項６）。
【００１６】
上記ハニカム構造体の梱包方法は、ハニカム構造体を、上記特定の仕様で構成される梱包箱の空間に、特定の順序で収納していく。そのため、ハニカム構造体が各空間に収容され、また、上記テープが、上記ハニカム構造体と、上記底板部、外壁部、あるいは仕切り部との間に配置された状態の梱包構造を、効率良く形成することができる。
【００１７】
そのため、上記梱包方法により得られる梱包構造は、上記第１の発明のハニカム構造体の梱包構造と同様にハニカム構造体の輸送時におけるハニカム構造体の縁欠けを防止できるだけでなく、ハニカム構造体と上記底板部や外壁部との接触を極力防ぐことができるため、さらに、ハニカム構造体に汚れが付着することを防止することもできる。
【００１８】
このように、本発明によれば、ハニカム構造体の輸送時において安定であり、ハニカム構造体の縁欠けを防止することが可能なハニカム構造体の梱包方法を提供できることがわかる。
【発明を実施するための最良の形態】
【００１９】
第１の発明のハニカム構造体の梱包構造において、上記梱包箱は、上述したように、底板部と、該底板部の外周端から立設した外壁部と、該外壁部の内部に配置された仕切り部とを有し、上記外壁部と上記仕切り部とにより区画された複数の空間を有する。
そして、上記空間は、その横断面形状が、上記ハニカム構造体の直径に略合致する一辺を有する正方形状であると共に、その深さが上記ハニカム構造体の軸方向高さ以上である直方体形状を有している。
上記空間の辺がハニカム構造体の直径と略合致しない場合には、輸送時の安定性を確保することができない。
また、上記空間の深さが上記ハニカム構造体の軸方向高さ未満である場合には、安定性が損なわれるおそれや、隣り合うハニカム構造体同士がぶつかり合うおそれがある。
【００２０】
また、上記仕切り部には、上記各空間の上端における横断面正方形の一辺の中点を含む上端中央部に切り欠き部が設けられている。
上記切り欠き部が上記上端中央部に設けられていない場合には、隣り合うハニカム構造体の上端角部同士の衝突を防ぐことができず、ハニカム構造体の縁欠けを防止する効果を得ることができない。
【００２１】
上記切り欠き部は、隣り合うハニカム構造体の上端角部同士の接触を防ぐことができる空間を設けることができればどのような形状であってもよく、矩形形状、テーパ形状、くさび形状、アーチ形状等を適用することができる。
また、縦方向及び横方向において、全ての切り欠き部が同一の位置、同一の形状で形成されていることが好ましい。
【００２２】
また、上記切り欠き部の下端は、上記ハニカム構造体の軸方向高さよりも低い位置に設けられている。
上記切り欠き部の下端が上記ハニカム構造体の軸方向高さと同じ高さ以上に設けられている場合には、ハニカム構造体の縁欠けを防止する効果を得ることができない。
上記切り欠き部の下端は、好ましくは、上記ハニカム構造体の軸方向高さよりも３〜
２０ｍｍ低い位置に設けられていることが好ましい。
【００２３】
上記梱包箱は、ダンボール、プラスチック等、様々な材料より形成することができる。
そして、上記梱包箱は、リサイクルの観点から、ダンボールよりなることが好ましい（請求項２）。
【００２４】
また、上記外壁部には、上記各空間の上端における横断面正方形の一辺の中点を含む上端中央部に切り欠き部が設けられていることが好ましい（請求項３）。
この場合には、さらに、ハニカム構造体の縁欠けを防止する効果を向上することができる。
また、後述するようにテープを配置する場合に適している。
【００２５】
また、上記切り欠き部の下端の幅寸法と同じ又はそれ以下の幅を有するテープを、上記外周壁の一辺から対向する一辺に亘って、上記切り欠き部に掛けて、かつ、上記ハニカム構造体と、上記底板部、外壁部、あるいは仕切り部との間に介在させて配置させることが好ましい（請求項４）。
上記テープは、上記梱包箱の上記空間の縦の列、横の列において、１列につき各１本ずつ配置されている。
そして、ハニカム構造体は、底面及び側面の一部を、底面において直交する２本のテープで包まれた状態となっている。
【００２６】
従来、ハニカム構造体の輸送時にダンボール製の箱に入れると、基材とダンボールとか直接振れる部分に汚れが発生するという問題があった。そのため、この場合には、ハニカム構造体と上記底板部及び外壁部との接触を低減することができ、ハニカム構造体に汚れが付着することを防止することができる。
また、輸送時に上記テープが横方向に滑ることを防止するために、上記テープの幅と上記切り欠き部の下端の幅は一致していることが好ましい。
【００２７】
そして、上記切り欠き部の下端は、１０ｍｍ以上の幅寸法を有することが好ましい。
この場合には、隣り合うハニカム構造体の間に十分な空間を設けることができると共に、上述したようにテープを配置する場合に適している。
また、安定性の確保や、隣り合うハニカム構造体の接触を防止するため、上記切り欠き部の下端の幅は８０ｍｍ以下であることが好ましい。
【００２８】
また、上記テープは、リサイクルの観点から、紙からなることが好ましい（請求項５）。
【００２９】
第２の発明のハニカム構造体の梱包方法は、上述の特定の梱包箱を用いる。
そして、上記切欠部分の下端の幅寸法と同じ又はそれ以下の幅を有するテープを上記外周壁の一辺から対向する一辺に亘って、上記切欠部部分に掛けて配置してある。
上記テープは、上記梱包箱の上記空間の縦の列、横の列において、１列につき各１本ずつ配置されている。
そして、上記テープは、上記切り欠き部に載せるようにゆるく配置してもよいし、空間形状に沿って配置してもよい。ゆるく配置する場合には、上記テープは、外壁部よりも外方に延びるように十分な長さを持たせておく必要がある。
【００３０】
上記各空間にハニカム構造体を挿入して、上記テープが、上記ハニカム構造体と、上記底板部、外壁部、あるいは仕切り部との間に配置されるよう順次ハニカム構造体を空間内に収容していく。
上記梱包方法は、上記テープを上述したようにゆるく配置した場合には、特に、空間におけるテープの移動を妨げない順序でハニカム構造体を収容しなければならない。
【００３１】
そして、上記ハニカム構造体の挿入完了後、テープを切断する。
上記テープは、上記外壁部に設けられた切り欠き部の下端付近で切断することが好ましい。
そして、得られる梱包構造では、記ハニカム構造体は、底面及び側面の一部を、底面において直交する２本のテープで包まれた状態となる。
【００３２】
上記ハニカム構造体の梱包方法において、上記テープは、上記外周壁の縦方向の辺の一方の側及び横方向の辺の一方の側において予め固定しておき、
最初に上記ハニカム構造体を挿入する空間を、上記テープが固定されている側の縦方向の一辺及び横方向の一辺が直交する角部に位置する第１空間とし、
上記第１空間にハニカム構造体を挿入した後、未だハニカム構造体が挿入されていない他の空間におけるテープの移動を妨げないよう順次一つずつ空間にハニカム構造体を挿入することが好ましい（請求項７）。
【００３３】
この場合には、特に効率よく梱包を行うことができる。
初めの１個を、上記第１空間に挿入しない場合、また、その後のハニカム構造体の挿入を空間におけるテープの移動を妨げないように行わない場合には、良好な梱包構造を得ることができない。
【００３４】
また、上記テープの固定は、どのような方法で固定してもよいが、例えば、壁等にテープ仮止め用のフックを取り付け、フックにテープを引っ掛けるようにして固定を行う等、簡単に固定できるような方法により行うことが好ましい。
【実施例】
【００３５】
（実施例１）
本例は、本発明の実施例にかかるハニカム構造体の梱包構造について、図１〜図１１を用いて説明する。
本例のハニカム構造体の梱包構造は、セラミック製のハニカム構造体を複数収容可能な梱包箱を用いるものである。
図１に示すように、上記梱包箱１は、底板部１１と、該底板部１１の外周端から立設した外壁部１２と、該外壁部１２の内部に配置された仕切り部１３とを有し、上記外壁部１２と上記仕切り部１３とにより区画された複数の空間１４を有する。該空間１４は、その横断面形状が、上記ハニカム構造体の直径に略合致する一辺を有する正方形状であると共に、その深さが上記ハニカム構造体の軸方向高さ以上である直方体形状を有している。上記仕切り部１３には、上記各空間１４の上端における横断面正方形の一辺の中点１４１を含む上端中央部１４３に切り欠き部１５が設けられており、該切り欠き部１５の下端１５１は、上記ハニカム構造体の軸方向高さよりも低い位置に設けられている。
以下、これを詳説する。
【００３６】
本例の梱包構造は、直径φ１０３ｍｍ、高さ１０５ｍｍのハニカム構造体２を、１２個梱包する梱包構造である。
まず、上記梱包箱１は、図１に示すように、上記底板部１１は、縦Ｌ１＝４４１ｍｍ、横Ｗ１＝３３２ｍｍであり、上記外壁部１２は、高さＨ１＝１１０ｍｍである。また、上記仕切り部１３は高さ１１０ｍｍである。また、上記底板部１１、外壁部１２、仕切り部１３は、厚み５ｍｍのダンボールよりなる。
【００３７】
そして、上記外壁部１２と上記仕切り部１３とにより区画された複数の空間１４の一つを図２に示す。図２に示すように各空間１４は、それぞれ、縦Ｌ２＝１０４ｍｍ、横Ｗ２＝１０４ｍｍ、深さＨ２＝１１０ｍｍの直方体形状を有している。
そして、上記仕切り部１３及び上記外壁部１２には、上記各空間１４の上端における横断面正方形の一辺の中点１４を含む上端中央部１４１に、幅Ｗ３＝２６ｍｍ、深さＨ３＝１０ｍｍの切り欠き部１５が設けられている。上記切り欠き部は、縦方向及び横方向において、全ての切り欠き部が同一の位置、同一の形状で形成してある。
【００３８】
そして、図３に示すように、幅２４ｍｍ、厚み０．２ｍｍの紙テープ１６を、上記外周壁１２の一辺から対向する一辺に亘って、縦方向の辺の一方の側及び横方向の辺の一方の側において固定し、上記切り欠き部１５に掛けて配置してある。紙テープ１６の固定は、紙テープの一端１６１を、壁に紐で繋がれた洗濯バサミに固定することにより行った。
本例では、上記テープ１６は、上記切り欠き部１５に載せるようにゆるく配置してある。また、固定していない側１６２は、ハニカム構造体２の収容時に上記ハニカム構造体２と、上記底板部１１、外壁部１２、あるいは仕切り部１３との間に介在させるために、外壁部１２よりも外方に延びるように十分な長さを持たせてある。
【００３９】
そして、図４に示すように、外壁部１２における上記テープ１６が固定されている側の縦方向の一辺及び横方向の一辺が直交する角部に位置する第１空間１４（１４３）にハニカム構造体２を挿入した。
その後、図５〜図７に示すように、上記テープ１６が、上記ハニカム構造体２と、上記底板部１１、外壁部１２、あるいは仕切り部１３との間に配置されるように、未だハニカム構造体２が挿入されていない他の空間１４におけるテープ１６の移動を妨げないよう順次一つずつ空間１４にハニカム構造体２を挿入した。
そして、図８に、ハニカム構造体２の挿入が完了した状態を示す。この際、上記梱包箱１と、外壁部１２、底板部１１、あるいは仕切り部１３との間には、上記紙テープ１６が介在した状態となっている。
【００４０】
そして、上記ハニカム構造体２の挿入完了後は、図９に示すように、上記テープ１６を、上記外壁部１２に設けられた切り欠き部１５の下端１５１付近で切断した。
図１０に、得られた梱包構造を示す。また、図１１には、上記梱包構造の上面拡大図を示す。
【００４１】
本例の梱包構造は、上記のように仕様を規定した梱包箱１を用いて梱包することにより、ハニカム構造体２の輸送時において安定であり、ハニカム構造体２の縁欠けを防止することができる。
つまり、上記梱包箱１は、仕切り板１３で区画して上記ハニカム構造体２をぴったりと収容できる空間１４が形成されている。そのため、ハニカム構造体２の輸送時の安定性を得ることができる。
【００４２】
また、上記各空間１４の上端における横断面正方形の一辺の中点１４１を含む上端中央部１４２は、上記空間１４内にハニカム構造体２を収容した際に、隣り合うハニカム構造体２同士が最も接近し、ハニカム構造体２の上端角部同士がぶつかり合い易い部分である。そして、その上端中央部１４２を、積極的に切り欠いて隣り合うハニカム構造体２の間に物理的に空間を設けた梱包箱１を用いることにより、ハニカム構造体２同士の接触を避けることができると共に、梱包箱とハニカム構造体の上端角部との接触をも防止することができ、ハニカム構造体２の上端角部の縁欠けを防止することができる。
【００４３】
また、上記梱包構造は、上記切り欠き部１５の下端１５１の幅寸法と同じ又はそれ以下の幅を有するテープ１６を、上記外周壁１２の一辺から対向する一辺に亘って、上記切り欠き部５に掛けて、かつ、上記底板部１１、外壁部１２、あるいは仕切り部１３と上記ハニカム構造体２との間に介在させて配置させてある。
そのため、ハニカム構造体２と上記底板部１１、外壁部１２、及び仕切り部１３との接触を低減することができ、ハニカム構造体２に汚れが付着することを防止することができる。
【００４４】
このように、本例によれば、ハニカム構造体の輸送時において安定であり、ハニカム構造体の縁欠けを防止することが可能なハニカム構造体の梱包構造、及び梱包方法を提供できることが分かる。
【００４５】
なお、本例においては、上記底板部１１、外壁部１２、仕切り部１３は、ダンボールからなることとしたが、プラスチック等、様々な材料を用いても、同様の縁欠け防止効果を得ることができる。
また、上記テープ１６として紙テープを用いたが、樹脂等、紙以外の素材よりなるテープを用いても、汚れ付着防止効果を得ることができる。
また、本例において、上記切り欠き部１５は矩形形状としたが、図１２（ａ）に示すようなテーパ形状の切り欠き部１５２、図１２（ｂ）に示すようなくさび形状の切り欠き部１５３、図１２（ｃ）に示すようなアーチ形状の切り欠き部１５４等を適用することもできる。
【図面の簡単な説明】
【００４６】
【図１】実施例１における、梱包箱を示す説明図。
【図２】実施例１における、空間を示す説明図。
【図３】実施例１における、梱包箱を示す説明図。
【図４】実施例１における、梱包方法を示す説明図。
【図５】実施例１における、梱包方法を示す説明図。
【図６】実施例１における、梱包方法を示す説明図。
【図７】実施例１における、梱包方法を示す説明図。
【図８】実施例１における、梱包方法を示す説明図。
【図９】実施例１における、梱包方法を示す説明図。
【図１０】実施例１における、梱包構造を示す説明図。
【図１１】実施例１における、梱包構造を示す上面拡大図。
【図１２】実施例１における、切り欠き部分の形状の別例を示す説明図。
【符号の説明】
【００４７】
１  梱包箱
１１  底板部
１２  外壁部
１３  仕切り部
１４  空間
１４１  中点
１４２  上端中央部
１５  切り欠き部
１５１  下端
【図１】
2010047293.tif 000003
【図２】
2010047293.tif 000004
【図３】
2010047293.tif 000005
【図４】
2010047293.tif 000006
【図５】
2010047293.tif 000007
【図６】
2010047293.tif 000008
【図７】
2010047293.tif 000009
【図８】
2010047293.tif 000010
【図９】
2010047293.tif 000011
【図１０】
2010047293.tif 000012
【図１１】
2010047293.tif 000013
【図１２】
2010047293.tif 000014